(57)【要約】      （修正有）【課題】テレビ受信機に設けられたメーカー独自の拡張機能を用いずに、ユーザがリモコンを持ち替えることなく、受信装置では対応していない放送をテレビ受信機に表示させる、受信システムを提供する。【解決手段】受信システムＳは、テレビ受信機４に接続され、放送信号を受信する受信装置１と、受信装置１のリモコン２とを備える。リモコン２は、操作部により受信装置１が受信しない放送信号に対応する放送を選択する第１操作を受け付けると、発信部に第１操作を示す第１操作情報を発信させ、第１操作とは異なる第２操作を受け付けると、無線通信部に第２操作を示す第２操作情報を送信させる第１送信制御部を有する。受信装置１は、リモコン２と無線通信を行う無線通信部が第２操作情報を受信すると、テレビ受信機４に、第２操作に対応する画面を表示させる表示制御部を有する。【選択図】図１
2018074505.tif 000002
【特許請求の範囲】
【請求項１】
テレビ受信機に接続され、放送信号を受信する受信装置と、前記受信装置のリモートコントローラとを備える受信システムであって、
前記リモートコントローラは、
ユーザから操作を受け付ける操作部と、
前記受信装置と無線通信を行う第１通信部と、
前記テレビ受信機が受信可能な形式で情報を発信する発信部と、
前記操作部により前記受信装置が受信しない放送信号に対応する放送を選択する第１操作を受け付けると、前記発信部に前記第１操作を示す第１操作情報を発信させ、前記操作部により前記第１操作とは異なる第２操作を受け付けると、前記第１通信部に前記第２操作を示す第２操作情報を送信させる第１送信制御部とを有し、
前記受信装置は、
前記リモートコントローラと前記無線通信を行う第２通信部と、
前記第２通信部が前記第２操作情報を受信すると、前記テレビ受信機に、前記第２操作に対応する画面を表示させる表示制御部とを有する、
受信システム。
【請求項２】
前記第１送信制御部は、前記発信部に前記第１操作情報を発信させた後に、前記操作部により、前記第２操作に対応する複数の操作のうち、一部の操作である第３操作を受け付けると、前記発信部に前記第３操作を示す第３操作情報を発信させ、前記第２操作に対応する複数の操作のうち、前記一部の操作とは異なる操作である第４操作を受け付けると、前記第１通信部に前記第４操作を示す第４操作情報を送信させ、
前記表示制御部は、前記第２通信部が前記第４操作情報を受信すると、前記テレビ受信機に、前記第４操作に対応する画面を表示させる、
請求項１に記載の受信システム。
【請求項３】
前記第１送信制御部は、前記第１通信部に前記第４操作情報を送信させた後に、前記第３操作を受け付けると、前記第１通信部に前記第３操作情報を送信させる、
請求項２に記載の受信システム。
【請求項４】
前記第１送信制御部は、前記操作部により前記第１操作を受け付けると、前記発信部に前記第１操作情報を発信させるとともに、前記第１通信部に前記第１操作情報を送信させ、
前記受信装置は、
前記第２通信部が前記第１操作情報を受信すると、前記テレビ受信機から、前記テレビ受信機に表示されている画面の状態を示す情報を取得する取得部と、
前記画面の状態が、前記受信装置によって画面が表示されている第１状態を示している場合に、前記第２通信部に、前記第１状態を示す第１状態情報を送信させる第２送信制御部とを有し、
前記第１送信制御部は、前記発信部に前記第１操作情報を発信させた後に、前記第１通信部が前記第１状態情報を受信した場合において、前記操作部により前記第３操作を受け付けると、前記第１通信部に前記第３操作情報を送信させる、
請求項２又は３に記載の受信システム。
【請求項５】
前記受信装置は、
前記テレビ受信機から、所定時間おきに前記テレビ受信機に表示されている画面の状態を示す情報を取得する取得部と、
前記画面の状態が、前記受信装置によって画面が表示されている第１状態を示している場合に、前記第２通信部が前記第１操作情報を受信すると、前記第２通信部に前記第１状態を示す第１状態情報を送信させる第２送信制御部とを有し、
前記第１送信制御部は、前記発信部に前記第１操作情報を発信させた後に、前記第１通信部が前記第１状態情報を受信した場合において、前記操作部により前記第３操作を受け付けると、前記第１通信部に前記第３操作情報を送信させる、
請求項２又は３に記載の受信システム。
【請求項６】
前記表示制御部は、前記画面の状態が前記第１状態を示している場合に、前記テレビ受信機が前記第１操作情報を受信していない旨を示す情報を前記テレビ受信機に表示させる、
請求項４又は５に記載の受信システム。
【請求項７】
前記受信装置は、
前記テレビ受信機に関する情報を取得する取得部と、
取得された前記テレビ受信機に関する情報に基づいて、前記テレビ受信機が受信可能な情報の形式を特定する特定部と、
前記第２通信部により、前記リモートコントローラの前記第２操作に対応する複数の操作のうち、前記第３操作として機能させる操作を識別する操作設定情報を前記リモートコントローラに送信する第２送信制御部とを有し、
前記第１送信制御部は、前記操作設定情報に基づいて前記第３操作を特定する、
請求項２から６のいずれか１項に記載の受信システム。
【請求項８】
前記第１通信部は、前記受信装置が受信しない放送信号を前記テレビ受信機が受信可能か否かを示すテレビ受信機情報を受信し、
前記第１送信制御部は、前記テレビ受信機情報が、前記受信装置が受信しない放送信号を前記テレビ受信機が受信可能であることを示している場合に前記第１操作を受け付けると、前記発信部に前記第１操作情報を発信させる、
請求項１から７のいずれか１項に記載の受信システム。
【請求項９】
前記受信装置は、
前記テレビ受信機に関する情報を取得する取得部と、
取得された前記テレビ受信機に関する情報に基づいて、前記テレビ受信機情報を生成する生成部と、
前記第２通信部に前記テレビ受信機情報を送信させる第２送信制御部とを有し、
前記第１送信制御部は、前記第１通信部が受信した前記テレビ受信機情報が、前記受信装置が受信しない放送信号を前記テレビ受信機が受信しないことを示している場合に前記第１操作を受け付けると、前記第１通信部に前記テレビ受信機が当該放送信号を受信しない旨を示す受信不可情報を送信させ、
前記表示制御部は、前記第２通信部により前記受信不可情報を受信すると、前記受信装置が受信しない放送信号を前記テレビ受信機が受信しない旨を示す情報を前記テレビ受信機に表示させる、
請求項８に記載の受信システム。
【請求項１０】
前記受信装置は、
前記テレビ受信機に関する情報を取得する取得部と、
取得された前記テレビ受信機に関する情報に基づいて、前記テレビ受信機が受信可能な情報の形式を特定する特定部と、
前記第２通信部により、前記情報の形式を示す形式情報を前記リモートコントローラに送信する第２送信制御部とを有し、
前記第１送信制御部は、前記第２通信部が受信した前記形式情報に対応する操作情報を前記発信部に発信させる、
請求項１から９のいずれか１項に記載の受信システム。
【請求項１１】
テレビ受信機に接続され、放送信号を受信する受信装置と、前記受信装置のリモートコントローラとを備える受信システムであって、
前記リモートコントローラは、
ユーザから操作を受け付ける操作部と、
前記受信装置と無線通信を行う第１通信部と、
前記テレビ受信機に接続され、前記受信装置が受信しない放送信号を受信する第２受信装置が受信可能な形式で情報を発信する発信部と、
前記操作部により前記受信装置が受信しない放送信号に対応する放送を選択する第１操作を受け付けると、前記発信部に前記第１操作を示す第１操作情報を発信させ、前記操作部により前記第１操作とは異なる第２操作を受け付けると、前記第１通信部に前記第２操作を示す第２操作情報を送信させる第１送信制御部とを有し、
前記受信装置は、
前記リモートコントローラと前記無線通信を行う第２通信部と、
前記第２操作情報を受信すると、前記テレビ受信機に、前記第２操作に対応する画面を表示させる表示制御部とを有する、
受信システム。
【請求項１２】
前記受信装置は、
前記テレビ受信機を介して前記第２受信装置に関する情報を取得する取得部と、
取得された前記第２受信装置に関する情報に基づいて、前記第２受信装置が受信可能な情報の形式を特定する特定部と、
前記第２通信部に前記情報の形式を示す形式情報を送信させる第２送信制御部とを有し、
前記第１送信制御部は、前記第２通信部が受信した前記形式情報に対応する操作情報を前記発信部に発信させる、
請求項１１に記載の受信システム。
【請求項１３】
テレビ受信機に接続され、放送信号を受信する受信装置のリモートコントローラであって、
ユーザから操作を受け付ける操作部と、
前記受信装置と無線通信を行う通信部と、
前記テレビ受信機、又は前記テレビ受信機に接続され前記受信装置が受信しない放送信号を受信する第２受信装置が受信可能な形式で情報を発信する発信部と、
前記操作部により前記受信装置が受信しない放送信号に対応する放送を選択する第１操作を受け付けると、前記発信部に前記第１操作を示す第１操作情報を発信させ、前記操作部により前記第１操作とは異なる第２操作を受け付けると、前記通信部に前記第２操作を示す第２操作情報を送信させる送信制御部と、
を備えるリモートコントローラ。
【請求項１４】
前記通信部は、前記テレビ受信機が受信可能な情報の形式を示す形式情報を受信し、
前記送信制御部は、前記操作部により前記第１操作を受け付けると、前記形式情報に基づいて、前記発信部に前記第１操作を示す第１操作情報を発信させる、
請求項１３に記載のリモートコントローラ。
【請求項１５】
テレビ受信機に接続され、放送信号を受信する受信装置と、前記受信装置のリモートコントローラとが実行する操作方法であって、
リモートコントローラが、前記受信装置が受信しない放送信号に対応する放送を選択する第１操作を受け付けると、テレビ受信機が受信可能な形式で情報を発信する発信部に前記第１操作を示す第１操作情報を発信させるステップと、
リモートコントローラが、前記第１操作とは異なる第２操作を受け付けると、前記受信装置と無線通信を行う第１通信部に前記第２操作を示す第２操作情報を送信させるステップと、
前記受信装置が、前記リモートコントローラと前記無線通信を行う第２通信部が前記第２操作情報を受信すると、前記テレビ受信機に、前記第２操作に対応する画面を表示させるステップと、
を有する操作方法。
【発明の詳細な説明】
【技術分野】
【０００１】
本発明は、放送信号を受信する受信装置に係るリモートコントローラ、受信システム、及び操作方法に関する。
【背景技術】
【０００２】
ケーブルテレビでは、地上デジタル放送、ＢＳ放送、ＣＳ放送等の様々な放送の信号を受信可能な受信装置であるセットトップボックス（STB：Set Top Box）がユーザに貸与される（例えば、特許文献１参照）。ユーザは、リモートコントローラ（以下、リモコンともいう。）を用いてＳＴＢを操作することで、様々な放送を閲覧することができる。
【先行技術文献】
【特許文献】
【０００３】
【特許文献１】特開２０１５−７０５３８号公報
【発明の概要】
【発明が解決しようとする課題】
【０００４】
ところで、４Ｋ・８Ｋ放送といった、従来のＳＴＢでは対応していない放送が開始されている。このような放送をユーザが視聴するには、当該放送を表示可能なテレビ受信機や、当該放送の放送信号を受信してテレビ受信機に表示させるチューナーを用意し、テレビ受信機やチューナーのリモコンを操作することにより、受信装置では対応していない放送をテレビ受信機に表示させる必要がある。したがって、ユーザは、ＣＡＴＶの有料放送等、ＳＴＢを介して放送を視聴する場合には、ＳＴＢのリモコンを操作し、４Ｋ・８Ｋ放送を視聴する場合には、テレビの入力切換を行った上で、テレビ受信機やチューナーのリモコンを操作することになり、ユーザの操作が煩雑になるという問題があった。
【０００５】
このような問題に対して、ＨＤＭＩ（登録商標）ケーブルを介して外部機器からテレビ受信機に制御信号を送信するための機能を有するＨＤＭＩ−ＣＥＣ（Consumer Electronics Control）を用いることが考えられる。例えば、ＳＴＢのリモコンが４Ｋ・８Ｋ放送を視聴する操作を受け付けると、ＨＤＭＩ−ＣＥＣを用いて、ＳＴＢからテレビ受信機やチューナーに４Ｋ・８Ｋに係る放送の画面を表示するように制御信号を送信させることが考えられる。
【０００６】
しかしながら、ＨＤＭＩ−ＣＥＣが有する機能のうち、テレビ受信機と、レコーダやＳＴＢとの電源のＯＮ／ＯＦＦを連携させる機能よりも高度の機能については、メーカー独自の拡張機能（例えば、ＶＩＥＲＡ−Ｌｉｎｋ（登録商標））によって実現されている。このため、ＳＴＢのリモコンによりＳＴＢでは対応していない放送をテレビ受信機に表示させる機能についても、メーカー独自の拡張機能を利用する必要がある。これに対して、ＳＴＢは、ケーブルテレビ事業者が提供するものであり、テレビ受信機のメーカーに関係なくユーザに提供するものであるため、メーカー独自の拡張機能を利用せずに、ＳＴＢのリモコンによりＳＴＢでは対応していない放送をテレビ受信機に表示させ、簡便に操作する機能を実現することが求められている。
【０００７】
そこで、本発明はこれらの点に鑑みてなされたものであり、テレビ受信機に設けられたメーカー独自の拡張機能を用いずに、また、ユーザがリモコンを持ち替えることなく、受信装置では対応していない放送をテレビ受信機に表示させることができるリモートコントローラ、受信システム、及び操作方法を提供することを目的とする。
【課題を解決するための手段】
【０００８】
本発明の第１の態様に係る受信システムは、テレビ受信機に接続され、放送信号を受信する受信装置と、前記受信装置のリモートコントローラとを備える受信システムであって、前記リモートコントローラは、ユーザから操作を受け付ける操作部と、前記受信装置と無線通信を行う第１通信部と、前記テレビ受信機が受信可能な形式で情報を発信する発信部と、前記操作部により前記受信装置が受信しない放送信号に対応する放送を選択する第１操作を受け付けると、前記発信部に前記第１操作を示す第１操作情報を発信させ、前記操作部により前記第１操作とは異なる第２操作を受け付けると、前記第１通信部に前記第２操作を示す第２操作情報を送信させる第１送信制御部とを有し、前記受信装置は、前記リモートコントローラと前記無線通信を行う第２通信部と、前記第２通信部が前記第２操作情報を受信すると、前記テレビ受信機に、前記第２操作に対応する画面を表示させる表示制御部とを有する。
【０００９】
前記第１送信制御部は、前記発信部に前記第１操作情報を発信させた後に、前記操作部により、前記第２操作に対応する複数の操作のうち、一部の操作である第３操作を受け付けると、前記発信部に前記第３操作を示す第３操作情報を発信させ、前記第２操作に対応する複数の操作のうち、前記一部の操作とは異なる操作である第４操作を受け付けると、前記第１通信部に前記第４操作を示す第４操作情報を送信させ、前記表示制御部は、前記第２通信部が前記第４操作情報を受信すると、前記テレビ受信機に、前記第４操作に対応する画面を表示させてもよい。
前記第１送信制御部は、前記第１通信部に前記第４操作情報を送信させた後に、前記第３操作を受け付けると、前記第１通信部に前記第３操作情報を送信させてもよい。
【００１０】
前記第１送信制御部は、前記操作部により前記第１操作を受け付けると、前記発信部に前記第１操作情報を発信させるとともに、前記第１通信部に前記第１操作情報を送信させ、前記受信装置は、前記第２通信部が前記第１操作情報を受信すると、前記テレビ受信機から、前記テレビ受信機に表示されている画面の状態を示す情報を取得する取得部と、前記画面の状態が、前記受信装置によって画面が表示されている第１状態を示している場合に、前記第２通信部に、前記第１状態を示す第１状態情報を送信させる第２送信制御部とを有し、前記第１送信制御部は、前記発信部に前記第１操作情報を発信させた後に、前記第１通信部が前記第１状態情報を受信した場合において、前記操作部により前記第３操作を受け付けると、前記第１通信部に前記第３操作情報を送信させてもよい。
【００１１】
前記受信装置は、前記テレビ受信機から、所定時間おきに前記テレビ受信機に表示されている画面の状態を示す情報を取得する取得部と、前記画面の状態が、前記受信装置によって画面が表示されている第１状態を示している場合に、前記第２通信部が前記第１操作情報を受信すると、前記第２通信部に前記第１状態を示す第１状態情報を送信させる第２送信制御部とを有し、前記第１送信制御部は、前記発信部に前記第１操作情報を発信させた後に、前記第１通信部が前記第１状態情報を受信した場合において、前記操作部により前記第３操作を受け付けると、前記第１通信部に前記第３操作情報を送信させてもよい。
前記表示制御部は、前記画面の状態が前記第１状態を示している場合に、前記テレビ受信機が前記第１操作情報を受信していない旨を示す情報を前記テレビ受信機に表示させてもよい。
前記受信装置は、前記テレビ受信機に関する情報を取得する取得部と、取得された前記テレビ受信機に関する情報に基づいて、前記テレビ受信機が受信可能な情報の形式を特定する特定部と、前記第２通信部により、前記リモートコントローラの前記第２操作に対応する複数の操作のうち、前記第３操作として機能させる操作を識別する操作設定情報を前記リモートコントローラに送信する第２送信制御部とを有し、前記第１送信制御部は、前記操作設定情報に基づいて前記第３操作を特定してもよい。
【００１２】
前記第１通信部は、前記受信装置が受信しない放送信号を前記テレビ受信機が受信可能か否かを示すテレビ受信機情報を受信し、前記第１送信制御部は、前記テレビ受信機情報が、前記受信装置が受信しない放送信号を前記テレビ受信機が受信可能であることを示している場合に前記第１操作を受け付けると、前記発信部に前記第１操作情報を発信させてもよい。
【００１３】
前記受信装置は、前記テレビ受信機に関する情報を取得する取得部と、取得された前記テレビ受信機に関する情報に基づいて、前記テレビ受信機情報を生成する生成部と、前記第２通信部に前記テレビ受信機情報を送信させる第２送信制御部とを有し、前記第１送信制御部は、前記第１通信部が受信した前記テレビ受信機情報が、前記受信装置が受信しない放送信号を前記テレビ受信機が受信しないことを示している場合に前記第１操作を受け付けると、前記第１通信部に前記テレビ受信機が当該放送信号を受信しない旨を示す受信不可情報を送信させ、前記表示制御部は、前記第２通信部により前記受信不可情報を受信すると、前記受信装置が受信しない放送信号を前記テレビ受信機が受信しない旨を示す情報を前記テレビ受信機に表示させてもよい。
【００１４】
前記受信装置は、前記テレビ受信機に関する情報を取得する取得部と、取得された前記テレビ受信機に関する情報に基づいて、前記テレビ受信機が受信可能な情報の形式を特定する特定部と、前記第２通信部により、前記情報の形式を示す形式情報を前記リモートコントローラに送信する第２送信制御部とを有し、前記第１送信制御部は、前記第２通信部が受信した前記形式情報に対応する操作情報を前記発信部に発信させてもよい。
【００１５】
本発明の第２の態様に係る受信システムは、テレビ受信機に接続され、放送信号を受信する受信装置と、前記受信装置のリモートコントローラとを備える受信システムであって、前記リモートコントローラは、ユーザから操作を受け付ける操作部と、前記受信装置と無線通信を行う第１通信部と、前記テレビ受信機に接続され、前記受信装置が受信しない放送信号を受信する第２受信装置が受信可能な形式で情報を発信する発信部と、前記操作部により前記受信装置が受信しない放送信号に対応する放送を選択する第１操作を受け付けると、前記発信部に前記第１操作を示す第１操作情報を発信させ、前記操作部により前記第１操作とは異なる第２操作を受け付けると、前記第１通信部に前記第２操作を示す第２操作情報を送信させる第１送信制御部とを有し、前記受信装置は、前記リモートコントローラと前記無線通信を行う第２通信部と、前記第２操作情報を受信すると、前記テレビ受信機に、前記第２操作に対応する画面を表示させる表示制御部とを有してもよい。
【００１６】
前記受信装置は、前記テレビ受信機を介して前記第２受信装置に関する情報を取得する取得部と、取得された前記第２受信装置に関する情報に基づいて、前記第２受信装置が受信可能な情報の形式を特定する特定部と、前記第２通信部に前記情報の形式を示す形式情報を送信させる第２送信制御部とを有し、前記第１送信制御部は、前記第２通信部が受信した前記形式情報に対応する操作情報を前記発信部に発信させてもよい。
【００１７】
本発明の第３の態様に係るリモートコントローラは、テレビ受信機に接続され、放送信号を受信する受信装置のリモートコントローラであって、ユーザから操作を受け付ける操作部と、前記受信装置と無線通信を行う通信部と、前記テレビ受信機、又は前記テレビ受信機に接続され前記受信装置が受信しない放送信号を受信する第２受信装置が受信可能な形式で情報を発信する発信部と、前記操作部により前記受信装置が受信しない放送信号に対応する放送を選択する第１操作を受け付けると、前記発信部に前記第１操作を示す第１操作情報を発信させ、前記操作部により前記第１操作とは異なる第２操作を受け付けると、前記通信部に前記第２操作を示す第２操作情報を送信させる送信制御部と、を備える。
【００１８】
前記通信部は、前記テレビ受信機が受信可能な情報の形式を示す形式情報を受信し、前記送信制御部は、前記操作部により前記第１操作を受け付けると、前記形式情報に基づいて、前記発信部に前記第１操作を示す第１操作情報を発信させてもよい。
【００１９】
本発明の第４の態様に係る操作方法は、テレビ受信機に接続され、放送信号を受信する受信装置と、前記受信装置のリモートコントローラとが実行する操作方法であって、リモートコントローラが、前記受信装置が受信しない放送信号に対応する放送を選択する第１操作を受け付けると、テレビ受信機が受信可能な形式で情報を発信する発信部に前記第１操作を示す第１操作情報を発信させるステップと、リモートコントローラが、前記第１操作とは異なる第２操作を受け付けると、前記受信装置と無線通信を行う第１通信部に前記第２操作を示す第２操作情報を送信させるステップと、前記受信装置が、前記リモートコントローラと前記無線通信を行う第２通信部が前記第２操作情報を受信すると、前記テレビ受信機に、前記第２操作に対応する画面を表示させるステップと、を有する。
【発明の効果】
【００２０】
本発明によれば、テレビ受信機に設けられたメーカー独自の拡張機能を用いずに、ユーザがリモコンを持ち替えることなく、受信装置では対応していない放送をテレビ受信機に表示させることができるという効果を奏する。
【図面の簡単な説明】
【００２１】
【図１】第１実施形態に係る受信システムの概要を示す図である。
【図２】第１実施形態に係る受信装置の構成を示す図である。
【図３】第１実施形態に係るリモコンの構成を示す図である。
【図４】第１実施形態に係る操作部の詳細な構成を示す図である。
【図５】第１実施形態に係る受信システムにおける初期設定に係る処理の流れを示すシーケンス図である。
【図６】第１実施形態に係る４Ｋボタンが操作された場合のリモコンの処理の流れを示すフローチャートである。
【図７】第１実施形態に係るリモコンがテレビ操作モードで動作する場合の処理の流れを示すフローチャートである。
【図８】第３実施形態に係る受信システムＳにおける初期設定に係る処理の流れを示すシーケンス図である。
【発明を実施するための形態】
【００２２】
以下、本発明の実施形態について説明する。
＜第１実施形態＞
［受信システムＳの概要］
図１は、第１実施形態に係る受信システムＳの概要を示す図である。受信システムＳは、放送信号を受信する受信装置１と、受信装置１のリモートコントローラとしてのリモコン２とを備え、放送信号に対応する映像及び音声をテレビ受信機４に表示させるためのシステムである。
【００２３】
受信装置１は、例えば、ケーブルテレビ用のセットトップボックス（ＳＴＢ）である。受信装置１は、同軸ケーブルＣＣを介して分波器３に接続されているとともに、ＨＤＭＩケーブルＨＣを介してテレビ受信機４に接続されている。分波器３は、ケーブルテレビ放送局から有線により放送信号を受信し、受信装置１が受信可能な第１周波数帯の放送信号を受信装置１に出力するとともに、受信装置１が受信しない第２周波数帯の放送信号をテレビ受信機４に出力する。
【００２４】
ここで、第１周波数帯の放送信号は、例えば、ＣＡＴＶ有料放送に対応する放送信号である。また、第２周波数帯の放送信号は、例えば、４Ｋ放送に対応する放送信号である。なお、以下の説明では、第１周波数帯の放送信号を第１放送信号、第２周波数帯の放送信号を第２放送信号という。また、本実施形態では、第２周波数帯の放送信号が、４Ｋ放送に対応する放送信号であることとしたが、これに限らず、８Ｋ放送に対応する放送信号や、テレビ受信機でのみ受信可能なＩＰＴＶ信号、ＶＯＤ（Video On Demand）サービスであってもよい。
【００２５】
受信装置１は、分波器３を介して、自身が受信可能な第１放送信号を受信し、当該第１放送信号に対応する映像信号及び音声信号をテレビ受信機４に出力する。
テレビ受信機４は、ＨＤＭＩケーブルＨＣを介して受信装置１に接続されており、受信装置１から出力された映像信号及び音声信号に基づいて、映像及び音声を出力する。また、テレビ受信機４は、同軸ケーブルＣＣを介して分波器３に接続されており、分波器３から出力された第２放送信号に対応する映像及び音声を出力する。
【００２６】
リモコン２は、受信装置１とＢｌｕｅｔｏｏｔｈ（登録商標）等の近距離無線通信によって無線通信を行うことにより、受信装置１に各種操作情報を送信する。また、リモコン２には、赤外線信号等の、テレビ受信機４が受信可能な信号を発信する発信部が設けられている。また、リモコン２には、テレビ受信機４から出力される映像及び音声を、受信装置１が受信する第１放送信号に対応する映像及び音声から、第２放送信号に対応する映像及び音声に切り替えるためのボタンが設けられている。リモコン２は、当該ボタンが操作されると、テレビ受信機４から出力される映像及び音声を第２放送信号に対応する映像及び音声に切り替えるための情報を発信部に発信させる。テレビ受信機４は、リモコン２から発信された情報を受信すると、第２放送信号に対応する映像及び音声を出力する。
【００２７】
このようにすることで、受信システムＳでは、テレビ受信機４に設けられた、ＨＤＭＩ−ＣＥＣに対するメーカー独自の拡張機能を用いずに、受信装置１では対応していない放送をテレビ受信機４に表示させることができる。また、ユーザは、リモコン２のみを操作することで、第１放送信号に対応する映像及び音声、又は第２放送信号に対応する映像及び音声をテレビ受信機４に出力させることができる。さらに、受信システムＳでは、テレビ受信機４への制御と、受信装置１への制御とを、リモコン２が適切に出し分けることにより、ユーザは受信装置１とテレビ受信機４のどちらを操作するかを意識することなく、あたかも一つの装置を利用しているかのような操作感で利用できる。
以下、受信装置１及びリモコン２の構成について説明する。
【００２８】
［受信装置１の構成例］
まず、受信装置１の構成について説明する。図２は、本実施形態に係る受信装置１の構成を示す図である。受信装置１は、通信部１２と、第２通信部としての無線通信部１３と、記憶部１４と、制御部１５とを備える。
【００２９】
操作部１１は、例えば、操作ボタンであり、ユーザの操作を受け付ける。
通信部１２は、同軸ケーブルＣＣを介して、分波器３によって分波された第１放送信号を受信する。また、通信部１２は、制御部１５の制御により、ＨＤＭＩケーブルを介してテレビ受信機４と通信を行う。
無線通信部１３は、Ｂｌｕｅｔｏｏｔｈ等の近距離無線通信により、リモコン２と無線通信を行う。
【００３０】
記憶部１４は、例えば、ＲＯＭ、ＲＡＭ及びハードディスク等により構成される。記憶部１４は、第１放送信号から抽出された番組表情報や、リモコン２の設定情報や、テレビ受信機４に関する情報等を記憶する。また、記憶部１４は、受信装置１を機能させるための各種プログラムを記憶する。記憶部１４は、受信装置１の制御部１５を、取得部１５１、第２送信制御部１５２、及び表示制御部１５３として機能させるための受信装置用プログラムを記憶する。
【００３１】
制御部１５は、例えばＣＰＵである。制御部１５は、記憶部１４に記憶されている各種プログラムを実行することにより、受信装置１に係る機能を制御する。制御部１５は、受信装置用プログラムを実行することにより、取得部１５１、第２送信制御部１５２、及び表示制御部１５３として機能する。これらの機能の詳細については後述する。
【００３２】
［リモコン２の構成例］
続いて、リモコン２の構成について説明する。図３は、本実施形態に係るリモコン２の構成を示す図である。リモコン２は、操作部２１と、第１通信部としての無線通信部２２と、発信部２３と、記憶部２４と、制御部２５とを備える。
【００３３】
操作部２１は、例えば、操作ボタンであり、ユーザから操作を受け付ける。図４は、本実施形態に係る操作部２１の詳細な構成を示す図である。図４に示すように、操作部２１には、第１操作部としての４Ｋボタン２１１と、第２操作部としての共用ボタン２１２及びＳＴＢ専用ボタン２１３とが設けられている。
【００３４】
第２操作部として機能するボタンのうち、共用ボタン２１２は、例えば、音量調整ボタン、選局ボタン、上下左右ボタン、決定ボタン等である。共用ボタン２１２は、テレビ受信機４及び受信装置１のいずれかの操作を受け付ける第３操作部として機能する。ＳＴＢ専用ボタン２１３は、例えば、電源ボタン、ホームボタン、ＣＳ放送選択ボタンである。ＳＴＢ専用ボタン２１３は、受信装置１の操作を受け付ける第４操作部として機能する。
【００３５】
無線通信部２２は、Ｂｌｕｅｔｏｏｔｈ等の近距離無線通信により、受信装置１と無線通信を行う。
発信部２３は、例えば、テレビ受信機４が受信可能な赤外線信号を発信する。ここで、発信部２３は、テレビ受信機４が受信可能な形式で情報を発信する。
【００３６】
記憶部２４は、例えば、ＲＯＭ、ＲＡＭ等により構成される。記憶部２４は、受信装置１から受信したリモコン２の設定情報等を記憶する。また、記憶部２４は、リモコン２を機能させるための各種プログラムを記憶する。
制御部２５は、例えばＣＰＵである。制御部２５は、第１送信制御部２５１を備える。第１送信制御部２５１の機能の詳細については後述する。
【００３７】
［初期設定に係る処理の流れ］
続いて、受信システムＳにおける処理の流れについて説明する。まず、受信システムＳにおける初期設定に係る処理について説明する。図５は、本実施形態に係る受信システムＳにおける初期設定に係る処理の流れを示すシーケンス図である。
【００３８】
まず、受信装置１とリモコン２とが近距離無線通信のペアリングを行う（Ｓ１０）。例えば、受信装置１の操作部１１と、リモコン２の操作部２１とのそれぞれが初期設定に係る所定操作を受け付けると、操作部１１の無線通信部１３と、リモコン２の無線通信部２２とが近距離無線通信を行うことによりペアリングを行う。
【００３９】
続いて、受信装置１の取得部１５１は、ＨＤＭＩケーブルＨＣ及び通信部１２を介して、テレビ受信機４から、テレビ受信機４に関する情報を取得する（Ｓ２０）。具体的には、取得部１５１は、ＨＤＭＩ−ＣＥＣを用いて、テレビ受信機４から、テレビ受信機４に関する情報として、テレビ受信機４のメーカー、型番、解像度、及びテレビ受信機４が対応可能なＨＤＣＰ（High-Bandwidth Digital Content Protection）のバージョンを示す情報を取得する。
【００４０】
続いて、第２送信制御部１５２は、生成部として機能し、取得されたテレビ受信機４に関する情報に基づいて、受信装置１が受信しない第２放送信号をテレビ受信機４が受信可能か否かを示すテレビ受信機情報を生成する（Ｓ３０）。例えば、第２送信制御部１５２は、テレビ受信機４に関する情報に含まれる解像度と、ＨＤＣＰのバージョンとに基づいて、テレビ受信機４が第２放送信号を受信可能かつ表示可能か否かを判定し、当該判定結果に基づいて、テレビ受信機情報を生成する。
【００４１】
続いて、第２送信制御部１５２は、特定部として機能し、取得されたテレビ受信機４に関する情報に基づいて、テレビ受信機４が受信可能な情報の形式を特定する（Ｓ４０）。例えば、第２送信制御部１５２は、テレビ受信機４のメーカーと、型番と、リモコン２の赤外線信号が示す情報の形式とを関連付けた受信機別形式情報を外部サーバ（不図示）から取得する。第２送信制御部１５２は、当該受信機別形式情報を参照し、テレビ受信機４に関する情報に含まれるテレビ受信機４のメーカーと型番とに関連する情報の形式を特定する。
【００４２】
続いて、第２送信制御部１５２は、無線通信部１３により、生成したテレビ受信機情報と、特定した情報の形式を示す形式情報とをリモコン２に送信する（Ｓ５０）。
リモコン２の制御部２５は、無線通信部２２が、受信装置１からテレビ受信機情報と、形式情報とを受信すると、これらの情報を設定情報として記憶部２４に記憶させる（Ｓ６０）。Ｓ６０に係る処理が終了すると、初期設定処理が終了する。
【００４３】
なお、本実施形態では、テレビ受信機４は、多種多様なメーカーから販売されているテレビ受信機を想定しており、共用ボタン２１２として利用可能なキーは、テレビ受信機４の種別によって異なる。このため、リモコン２では、テレビ受信機４の種別に応じて、必要な共用ボタンを割り当てるようにしてもよい。例えば、受信機別形式情報に、リモコン２において共用ボタン２１２として用いられるボタンを識別するボタン識別情報（操作設定情報）を関連付けておく。そして、第２送信制御部１５２は、取得した受信機別形式情報に含まれているボタン識別情報に基づいて、リモコン２の共用ボタン２１２を設定してもよい。そして、第１送信制御部２５１は、ボタン識別情報に基づいて共用ボタン２１２を特定するようにしてもよい。このようにすることで、テレビ受信機４の機種ごとに適したボタンを共用ボタン２１２にすることができる。
【００４４】
［ＳＴＢ操作モードである場合の処理の流れ］
続いて、受信システムＳにおいてリモコン２が操作された場合の処理について説明する。
リモコン２は、操作モードとして、受信装置１を操作するモードであるＳＴＢ操作モードと、テレビ受信機４を操作するモードであるテレビ操作モードとを有している。まず、リモコン２の操作モードがＳＴＢ操作モードである場合の処理について説明する。
【００４５】
第１送信制御部２５１は、リモコン２の操作モードがＳＴＢ操作モードである場合に、操作部２１により、第２放送信号に対応する放送を選択する操作とは異なる操作、すなわち、共用ボタン２１２又はＳＴＢ専用ボタン２１３の操作（第２操作）を受け付けると、無線通信部２２に、操作されたボタンに対応する操作情報（第２操作を示す第２操作情報）を送信させる。
【００４６】
受信装置１の表示制御部１５３は、無線通信部１３が第２操作情報を受信すると、第２操作に対応する画面を表示させる。例えば、第２操作がチャンネルを選択する操作である場合、表示制御部１５３は、通信部１２が受信する第１放送信号から、選択されたチャンネルに対応する放送信号を抽出し、当該放送信号に基づいて映像信号及び音声信号を抽出する。表示制御部１５３は、抽出した映像信号及び音声信号を、通信部１２及びＨＤＭＩケーブルＨＣを介してテレビ受信機４に出力することにより、当該映像信号及び前記音声信号に対応する映像及び音声をテレビ受信機４に表示させる。
【００４７】
また、第１送信制御部２５１は、操作部２１により、第２放送信号に対応する放送を選択する操作、すなわち、４Ｋボタン２１１の操作（第１操作）を受け付けると、発信部２３に、４Ｋボタン２１１が操作されたことを示す第１操作情報を発信させる。ここで、第１送信制御部２５１は、記憶部２４に記憶されている形式情報に基づいて、テレビ受信機４が受信可能な形式の第１操作情報を特定し、当該第１操作情報を発信部２３に発信させる。
【００４８】
図６は、本実施形態に係る４Ｋボタン２１１が操作された場合のリモコン２の処理の流れを示すフローチャートである。
まず、第１送信制御部２５１は、４Ｋボタン２１１が操作されると、テレビ受信機４が第２放送信号に対応しているか否かを判定する（Ｓ１１０）。具体的には、第１送信制御部２５１は、４Ｋボタン２１１が操作されると、記憶部２４に記憶されているテレビ受信機情報を参照し、テレビ受信機４が第２放送信号を受信可能か否かを判定する。第１送信制御部２５１は、テレビ受信機４が第２放送信号を受信可能と判定すると、Ｓ１２０に処理を移し、発信部２３に第１操作情報を発信させる。
【００４９】
第１操作情報には、例えば、テレビ受信機４の入力切替を指示する情報と、４Ｋ放送に対応する１つのチャンネルを選択、または最後に表示していた４Ｋ放送のチャンネル（ラストチャンネル）を表示するチャンネル選択情報とが含まれている。テレビ受信機４は、第１操作情報を受信すると、表示する画面を、テレビ受信機４が受信する放送信号に基づく映像を出力する画面に切り替えるとともに、選択された４Ｋ放送のチャンネルに対応する映像及び音声を出力する。
続いて、第１送信制御部２５１は、リモコン２の操作モードをＳＴＢ操作モードからテレビ操作モードに切り替える（Ｓ１３０）。
【００５０】
また、第１送信制御部２５１は、Ｓ１１０において、テレビ受信機４が第２放送信号を受信しないと判定すると、Ｓ１４０に処理を移し、無線通信部２２により、テレビ受信機４が当該放送信号を受信しないことを示すエラー情報を受信装置１に送信させる。受信装置１の表示制御部１５３は、無線通信部１３がエラー情報を受信すると、テレビ受信機４が４Ｋ放送に対応していない旨を示す情報をテレビ受信機４に表示させる。このようにすることで、ユーザは、テレビ受信機４が４Ｋ放送に対応していないことを把握することができる。
【００５１】
［テレビ操作モードである場合の処理の流れ］
続いて、リモコン２の操作モードがテレビ操作モードである場合の処理について説明する。第１送信制御部２５１は、発信部２３に第１操作情報を発信させ、リモコン２の操作モードをテレビ操作モードに切り替えた後に、操作部２１により、第２操作に対応する複数の操作のうち、一部の操作である第３操作を受け付けると、発信部２３に第３操作を示す第３操作情報を発信させ、第２操作に対応する複数の操作のうち、当該一部の操作とは異なる操作である第４操作を受け付けると、無線通信部２２に第４操作を示す第４操作情報を送信させる。
【００５２】
図７は、本実施形態に係るリモコン２がテレビ操作モードで動作する場合の処理の流れを示すフローチャートである。
まず、第１送信制御部２５１は、ＳＴＢ専用ボタン２１３が操作されたか否かを判定する（Ｓ２１０）。第１送信制御部２５１は、ＳＴＢ専用ボタン２１３が操作されたと判定すると、Ｓ２２０に処理を移し、ＳＴＢ専用ボタン２１３が操作されていないと判定すると、Ｓ２４０に処理を移す。
【００５３】
Ｓ２２０において、第１送信制御部２５１は、第２操作に対応する複数の操作のうち、ＳＴＢ専用ボタン２１３の操作（第４操作）を受け付けると、無線通信部２２により、操作されたＳＴＢ専用ボタン２１３に対応する操作情報（第４操作情報）を受信装置１に送信させる。受信装置１の表示制御部１５３は、無線通信部１３が第４操作情報を受信すると、テレビ受信機４に、操作されたＳＴＢ専用ボタン２１３に対応する画面を表示させる。
【００５４】
続いて、第１送信制御部２５１は、リモコン２の操作モードを、テレビ操作モードからＳＴＢ操作モードに切り替える（Ｓ２３０）。このように、リモコン２の操作モードが、テレビ操作モードからＳＴＢ操作モードに切り替わることから、第１送信制御部２５１は、無線通信部２２に第４操作情報を送信させた後に、第３操作としての共用ボタン２１２を受け付けると、無線通信部２２に第３操作情報を送信させる。よって、ユーザは、リモコン２によるテレビ受信機４の操作と、受信装置１の操作とを容易に切り替えることができる。
【００５５】
なお、第１送信制御部２５１は、ＳＴＢ専用ボタン２１３のうち、電源ボタンが押下されると、リモコン２の操作モードを、テレビ操作モードからＳＴＢ操作モードに切り替えた後、無線通信部２２により、電源ボタンが押下されたことを示す操作情報を受信装置１に送信する。
【００５６】
第１送信制御部２５１は、Ｓ２１０においてＳＴＢ専用ボタン２１３が操作されていないと判定すると、共用ボタン２１２が操作されたか否かを判定する（Ｓ２４０）。第１送信制御部２５１は、共用ボタン２１２が操作されたと判定すると、Ｓ２５０に処理を移し、共用ボタン２１２が操作されていないと判定すると、Ｓ２１０に処理を移す。
【００５７】
Ｓ２５０において、第１送信制御部２５１は、共用ボタン２１２に対応する操作情報（第３操作情報）を発信部２３に発信させる。ここで、第１送信制御部２５１は、記憶部２４に記憶されている形式情報に基づいて、テレビ受信機４が受信可能な形式の第３操作情報を特定し、当該第３操作情報を発信部２３に発信させる。テレビ受信機４は、第３操作情報を受信すると、第３操作情報に基づく映像及び音声を出力する。
【００５８】
［第１実施形態における効果］
以上のとおり、本実施形態に係る受信システムＳにおいて、リモコン２は、操作部２１により受信装置１が受信しない第２放送信号に対応する放送を選択する第１操作を受け付けると、発信部２３に第１操作を示す第１操作情報を発信させ、操作部２１により第１操作とは異なる第２操作を受け付けると、無線通信部２２に第２操作を示す第２操作情報を送信させる。このようにすることで、受信システムＳでは、発信部２３が発信する情報によってテレビ受信機４を操作することができるので、テレビ受信機４に設けられた、ＨＤＭＩ−ＣＥＣに対するメーカー独自の拡張機能を用いずに、受信装置１では対応していない放送をテレビ受信機４に表示させることができる。また、ユーザは、リモコン２を持ち替えることなく、受信装置１が対応している第１放送信号に対応する放送と、受信装置１が対応していない第２放送信号に対応する放送とを視聴することができる。
【００５９】
＜第２実施形態＞
［４Ｋボタンの操作時に４Ｋ放送の映像に切り替わらない場合に、ＳＴＢ操作モードを維持する］
続いて、第２実施形態について説明する。第１実施形態において、リモコン２は、４Ｋボタン２１１が操作されたことに応じて、操作モードをＳＴＢ操作モードからテレビ操作モードに切り替えた。しかしながら、リモコン２の発信部２３がテレビ受信機４に向けられていない場合には、４Ｋボタン２１１が操作されたことに応じて発信部２３が第１操作情報を発信しても、テレビ受信機４が第１操作情報を受信できないことがある。この場合、テレビ受信機４の表示が４Ｋ放送に対応する映像に切り替わっていないにもかかわらず、リモコン２がテレビ操作モードに切り替わってしまう。第２実施形態は、４Ｋボタン２１１の操作時にテレビ受信機４が出力する映像が４Ｋ放送の映像に切り替わらない場合に、操作モードを切り替えない点で第１実施形態と異なる。以下に、第２実施形態に係る受信システムＳについて説明する。なお、第１実施形態と同様の構成については同一の符号を付し、詳細な説明を省略する。
【００６０】
第２実施形態において、第１送信制御部２５１は、４Ｋボタン２１１が操作されると、発信部２３に第１操作情報を発信させるとともに、無線通信部２２により、第１操作情報を受信装置１に送信する。
【００６１】
受信装置１の取得部１５１は、無線通信部１３が第１操作情報を受信すると、テレビ受信機４から、テレビ受信機４に表示されている画面の状態を示す状態情報を取得する。具体的には、取得部１５１は、無線通信部１３が第１操作情報を受信すると、ＨＤＭＩケーブルＨＣ及び通信部１２を介して、テレビ受信機４から、状態情報として、テレビ受信機４に映像を表示させている機器を示す情報を取得する。
【００６２】
受信装置１の第２送信制御部１５２は、取得部１５１が取得した状態情報が示すテレビ受信機４の画面の状態が、受信装置１によって画面が表示されている第１状態を示している場合に、無線通信部１３により、当該第１状態を示す第１状態情報をリモコン２に送信する。ここで、第１状態は、より具体的には、受信装置１が通信部１２を介してテレビ受信機４に出力した情報が、テレビ受信機４に表示されている状態である。
【００６３】
ここで、表示制御部１５３は、テレビ受信機４の画面の状態が第１状態を示す場合に、テレビ受信機４が第１操作情報を受信していない旨を示す情報をテレビ受信機４に表示させるようにしてもよい。このようにすることで、テレビ受信機４が４Ｋボタン２１１の操作に対応する第１操作情報を受信していないことをユーザに認識させて、当該ユーザに４Ｋボタン２１１の再操作を促すことができる。
【００６４】
第１送信制御部２５１は、発信部２３に第１操作情報を発信させた後に、無線通信部２２が第１状態情報を受信した場合には、操作モードをテレビ操作モードに切り替えずに、ＳＴＢ操作モードに維持する。第１送信制御部２５１は、その後、共用ボタン２１２が操作を受け付けると、無線通信部２２により、第３操作情報を受信装置１に送信する。
【００６５】
なお、取得部１５１は、無線通信部１３が第１操作情報を受信すると、テレビ受信機４から状態情報を取得したが、これに限らない。取得部１５１は、所定時間おきにテレビ受信機４に表示されている画面の状態を示す状態情報を取得してもよい。そして、第２送信制御部１５２は、取得部１５１が取得した状態情報が第１状態を示している場合に、無線通信部１３が第１操作情報を受信すると、無線通信部１３により、当該第１状態を示す第１状態情報をリモコン２に送信してもよい。
【００６６】
［第２実施形態における効果］
以上のとおり、第２実施形態に係る受信装置１は、テレビ受信機４の画面の状態が、受信装置１によって画面が表示されている第１状態を示している場合に、第１状態を示す第１状態情報をリモコン２に送信する。そして、リモコン２は、第１操作情報を発信した後に第１状態情報を受信した場合において、操作部２１により第３操作を受け付けると、第３操作情報を受信装置１に送信する。このようにすることで、リモコン２の操作モードと、テレビ受信機４から出力される映像及び音声との整合をとることができる。
【００６７】
＜第３実施形態＞
［４Ｋ放送を受信可能な第２受信装置をリモコン２によって操作可能とする］
続いて、第３実施形態について説明する。第１実施形態において、テレビ受信機４が第２放送信号を受信可能であるものとして説明したが、テレビ受信機４が第２放送信号を受信できない機種である場合もある。テレビ受信機４が第２放送信号に対応する映像及び音声を出力するには、第２放送信号を受信可能な第２受信装置をテレビ受信機４に接続する必要がある。
【００６８】
しかしながら、第２受信装置を用いて第２放送信号に対応する映像及び音声をテレビ受信機４に出力させる場合には、第２受信装置のリモコンを操作する必要がある。このため、ユーザは、第１放送信号に対応する放送を視聴する場合には受信装置１のリモコン２を操作し、第２放送信号に対応する放送を視聴する場合には第２受信装置のリモコンを操作することとなり、視聴操作が煩雑になってしまう。第３実施形態では、リモコン２が、第２受信装置を操作可能とする点で第１実施形態と異なる。以下に、第３実施形態に係る受信システムＳについて説明する。なお、本実施形態において、第２受信装置は、テレビ受信機４と同様に赤外線信号を受信可能であるものとする。また、発信部２３は、第２受信装置が受信可能な形式で情報を発信可能であるものとする。
【００６９】
図８は、本実施形態に係る受信システムＳにおける初期設定に係る処理の流れを示すシーケンス図である。
まず、受信装置１とリモコン２とが近距離無線通信のペアリングを行う（Ｓ３１０）。Ｓ３１０に係る処理は、第１実施形態におけるＳ１０に係る処理と同じであるので説明を省略する。
【００７０】
続いて、受信装置１の取得部１５１は、ＨＤＭＩケーブルＨＣ及び通信部１２を介して、テレビ受信機４から、テレビ受信機４に関する情報を取得するとともに、第２受信装置に関する情報を取得する（Ｓ３２０、Ｓ３２１）。具体的には、取得部１５１は、ＨＤＭＩ−ＣＥＣを用いて、テレビ受信機４から、テレビ受信機４に関する情報として、テレビ受信機４のメーカー、型番、解像度、及びテレビ受信機４が対応可能なＨＤＣＰのバージョンを示す情報を取得する。また、取得部１５１は、ＨＤＭＩ−ＣＥＣを用いて、テレビ受信機４から、第２受信装置に関する情報として、テレビ受信機４に接続されている外部機器の識別情報を取得する。
【００７１】
続いて、第２送信制御部１５２は、生成部として機能し、取得されたテレビ受信機４に関する情報と、第２受信装置に関する情報とに基づいて、受信装置１が受信しない第２放送信号に対応する映像及び音声をテレビ受信機４が出力可能か否かを示すテレビ受信機情報を生成する（Ｓ３３０）。
【００７２】
例えば、第２送信制御部１５２は、テレビ受信機４に関する情報に含まれる解像度と、ＨＤＣＰのバージョンとに基づいて、テレビ受信機４が第２放送信号に対応する映像及び音声を出力可能か否かを判定する。また、第２送信制御部１５２は、テレビ受信機４又は第２受信装置のメーカーと、型番と、リモコン２の赤外線信号が示す情報の形式とを関連付けた受信機別形式情報を外部サーバから取得し、当該受信機別形式情報と、テレビ受信機４に接続されている外部機器の識別情報とに基づいて、テレビ受信機４に第２受信装置が接続されているか否かを判定する。第２送信制御部１５２は、当該判定結果に基づいて、テレビ受信機情報を生成する。
【００７３】
続いて、第２送信制御部１５２は、特定部として機能し、取得されたテレビ受信機４に関する情報に基づいて、テレビ受信機４又は第２受信装置が受信可能な情報の形式を特定する（Ｓ３４０）。例えば、第２送信制御部１５２は、Ｓ３３０において取得した受信機別形式情報を参照し、テレビ受信機４又は第２受信装置に対応する情報の形式を特定する。
【００７４】
Ｓ３５０及びＳ３６０に係る処理は、第１実施形態に係るＳ５０及びＳ６０に係る処理と同じであるので、説明を省略する。
【００７５】
［第３実施形態における効果］
以上のとおり、第３実施形態に係る受信システムＳでは、テレビ受信機４に第２受信装置が接続されている場合、初期設定処理が完了すると、リモコン２によって第２受信装置を操作することが可能になる。これにより、ユーザは、リモコン２のみを操作することで、受信装置１が対応している第１放送信号に対応する放送と、受信装置１が対応していない第２放送信号に対応する放送とを視聴することができる。また、受信システムＳでは、発信部２３が発信する情報によって第２受信装置を操作することができるので、テレビ受信機４に設けられた、ＨＤＭＩ−ＣＥＣに対するメーカー独自の拡張機能を用いずに、受信装置１では対応していない放送をテレビ受信機４に表示させることができる。
【００７６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上述の実施形態では、リモコン２が、第１操作情報を発信部２３に発信させることで、テレビ受信機４に第１操作情報を送信したが、これに限らない。例えば、テレビ受信機４及びリモコン２がＬＡＮ等の通信ネットワークを介して通信可能である場合に、リモコン２は、当該通信ネットワークを介して第１操作情報をテレビ受信機４に送信してもよい。また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００７７】
１・・・受信装置、１１・・・操作部、１２・・・通信部、１３・・・無線通信部、１４・・・記憶部、１５・・・制御部、１５１・・・取得部、１５２・・・第２送信制御部、１５３・・・表示制御部、２・・・リモコン、２１・・・操作部、２１１・・・４Ｋボタン、２１２・・・共用ボタン、２１３・・・ＳＴＢ専用ボタン、２２・・・無線通信部、２３・・・発信部、２４・・・記憶部、２５・・・制御部、２５１・・・第１送信制御部、３・・・分波器、４・・・テレビ受信機、Ｓ・・・受信システム
【図１】
2018074505.tif 000003
【図２】
2018074505.tif 000004
【図３】
2018074505.tif 000005
【図４】
2018074505.tif 000006
【図５】
2018074505.tif 000007
【図６】
2018074505.tif 000008
【図７】
2018074505.tif 000009
【図８】
2018074505.tif 000010